(57)【要約】【課題】軽量且つコンパクトな構成でありながら、挿入時の防護管の脱落を防止できる防護管挿入器を提供する。【解決手段】防護管挿入器１は、２方向から挟持する電線挟持部１０によって架空電線１００に固定される。電線挟持部１０の固定挟持片側には、防護管のスリットに割り込ませる割込板４が立設されている。固定挟持片側には架空電線１００に充てがわれる電線受け部２が設けられている。割込板４の縁４ｂには、挿入側の一端を電線受け部２へ近接させて架空電線１００に傾斜するようにガイドレール６が配置されている。ガイドレール６の一端と電線受け部２との間に鋭角に形成された隅部４ａには、防護管のスリットを拡張する拡幅具８が設けられている。電線挟持部１０の可動挟持片１４側には、電線受け部２と略平行に、ガイドレール６の一端側に向けて支持ハンドル１６が延設されている。【選択図】図１
2019205232.tif 000002
【特許請求の範囲】
【請求項１】
スリットが形成された防護管を、前記スリットの一部を拡張しながら架空電線に対して傾斜方向から挿入する防護管挿入器であって、
前記架空電線に充てがわれる電線受け部と、
前記電線受け部に立設され、前記スリット内に割り込ませる割込板と、
一端側において前記電線受け部との間で鋭角の隅部を形成するように前記割込板の縁に設けられ、前記防護管の内壁に摺接してガイドするガイドレールと、
前記割込板の前記隅部に設けられ、前記一端側へ向かって徐々に厚みを増すように形成されていると共に、前記ガイドレールと前記電線受け部との間を横切るように前記ガイドレールよりも急勾配の方向に延びる段差が形成されている拡幅具と
を備えたことを特徴とする簡易型防護管挿入器。
【請求項２】
前記割込板が一体に設けられた固定挟持片、及び可動挟持片によって二方向から前記架空電線を挟持する電線挟持部と、
前記電線挟持部の前記可動挟持片側において、前記一端側へ向けて延設された、全体を支持するための支持ハンドルと
を備えたことを特徴とする請求項１に記載の簡易型防護管挿入器。
【請求項３】
前記拡幅具の前記段差を形成するエッジのうち、前記一端側の領域の方が前記割込板に対して緩やかな角度で形成されていることを特徴とする請求項１又は２に記載の簡易型防護管挿入器。
【発明の詳細な説明】
【技術分野】
【０００１】
本発明は、電柱等に架設された電線を覆う防護管の挿入又は抜き取りを行うための、駆動装置を備えない簡易型防護管挿入器に関するものである。
【背景技術】
【０００２】
樹木等の接触による損傷から架空電線を保護するために防護管が用いられる。また、架空電線の近傍で作業を行う場合、作業者又は作業機器が電線に触れることを防止するためにも防護管は利用される。
【０００３】
図６は、連結された防護管１０１の斜視図である。
【０００４】
この図６に示した防護管１０１を構成する本体部１０２と、この本体部１０２の一端側に形成された雌型嵌合部１０３及び他端側に形成された雄型嵌合部１０４は、弾性と可撓性とを有する絶縁材料を用いて形成されている。これらは、仮想線で示したように、架空電線１００を内側に収容できる内径を有すると共に、本体部１０２の上方には、長手方向へ一直線にスリット状の開口部１０７が形成されている。このような材質・形状により、開口部１０７を開いて内側に架空電線１００を収容し、防護管１０１の有する弾性に基づく復元力に任せて閉じさせることで、架空電線１００を覆うことができる。開口部１０７を形成する対向した両端縁部からは、それぞれ、円筒の拡径側へ平行に延びる一対のヒレ部１０９が形成されている。
【０００５】
また、この図６に示すように、防護管１０１の長手方向の一端には、雄型嵌合部１０４が形成され、他端には、この雄型嵌合部１０４を有する他の防護管１０１と接続可能な雌型嵌合部１０３が形成されている。これら連結される防護管１０１はそれぞれ所定長さに設定されており、互いの雌雄型嵌合部１０３、１０４にて複数本が継ぎ足され、長い架空電線１００を覆うことができる。
【０００６】
ここで、雄型嵌合部１０４は、本体部１０２よりも外径が大きくなっている。そして、雌型嵌合部１０３には、嵌合時に雄型嵌合部１０４を収容でき、内部で結合させることができる収容部１０６が形成されている。従って、雌型嵌合部１０３の収容部１０６は、雄型嵌合部１０４よりもさらに外径が大きくなっている。
【０００７】
一般に、上記のような防護管１０１を架空電線１００へ取り付ける際には、先ず１本目の防護管１０１を架空電線１００に挿入した後、続いて２本目の防護管１０１の先端を架空電線１００に挿入し、架空電線１００に挿入された状態で、これら２本の防護管１０１を互いの雌雄型嵌合部１０３、１０４にて接続する。そして、このような動作を繰り返すことにより、架空電線１００に複数本の防護管１０１が挿入される。
【０００８】
次に、上記のような防護管１０１を架空電線１００に挿入する装置について説明する。
【０００９】
図７は、従来の管挿入器１１０の正面図である。この管挿入器１１０は、上端の電線抑えアングル１１１とガイド本体１１２とによって挟むようにして架空電線１００に固定されている。ガイド本体１１２から延びる案内棒１１３に沿って通された防護管１０１は、ガイド本体１１２と駆動タイヤ１１６との間を通過する。そして、さらに変位が進んだ防護管１０１は、拡管用板１１５によって開口部１０７（図６参照）が拡張されて架空電線１００へ導かれる。
【００１０】
ここで、ガイド本体１１２には、側面及び下端側に、防護管１０１との摩擦を低減するためにコロ１２７が設けられている。これにより、摺接抵抗を低減し、駆動タイヤ１１６から加えられる力をロスすることなく、スムーズに防護管１０１を架空電線１００に挿入することができる。以上のような管挿入器１１０については、特許文献１に記載がある。
【先行技術文献】
【特許文献】
【００１１】
【特許文献１】特開平８−１８２１３５号公報
【発明の概要】
【発明が解決しようとする課題】
【００１２】
上述のような管挿入器１１０には、駆動タイヤ１１６及びこれを駆動するための装置が必要であり、その分だけ全体の重量が増大する。また、管挿入器１１０全体の重量が増大することに加えて、駆動系の設置時間を要するため、作業効率は良くない。したがって、軽量化を図るためには、駆動タイヤ１１６を含む駆動系の構成を省くのが最も効果的である。
【００１３】
一方、把持される架空電線１００に対して案内棒１１３が傾斜しているので、防護管１０１を案内棒１１３に沿って架空電線１００に突き当てる際に、防護管１０１は架空電線１００側から大きな反力を受ける。このため、駆動タイヤ１１６を省いた構成では、拡管用板１１５から防護管１０１が脱落しないように架空電線１００側に押さえ付けながら作業する必要がある。
【００１４】
そこで、本発明は、軽量且つコンパクトな構成でありながら、挿入時の防護管の脱落を防止できる防護管挿入器を提供することを目的とする。
【課題を解決するための手段】
【００１５】
上記目的を達成するために、本発明の簡易型防護管挿入器は、スリットが形成された防護管を、前記スリットの一部を拡張しながら架空電線に対して傾斜方向から挿入する防護管挿入器であって、前記架空電線に充てがわれる電線受け部と、前記電線受け部に立設され、前記スリット内に割り込ませる割込板と、一端側において前記電線受け部との間で鋭角の隅部を形成するように前記割込板の縁に設けられ、前記防護管の内壁に摺接してガイドするガイドレールと、前記割込板の前記隅部に設けられ、前記一端側へ向かって徐々に厚みを増すように形成されていると共に、前記ガイドレールと前記電線受け部との間を横切るように前記ガイドレールよりも急勾配の方向に延びる段差が形成されている拡幅具と
を備えたことを特徴とする。
【００１６】
また、本発明の簡易型防護管挿入器は、上記構成に加えて、前記割込板が一体に設けられた固定挟持片、及び可動挟持片によって二方向から前記架空電線を挟持する電線挟持部と、前記電線挟持部の前記可動挟持片側において、前記一端側へ向けて延設された、全体を支持するための支持ハンドルとを備えたことを特徴とする。
【００１７】
また、本発明の簡易型防護管挿入器は、上記構成に加えて、前記拡幅具の前記段差を形成するエッジのうち、前記一端側の領域の方が前記割込板に対して緩やかな角度で形成されていることを特徴とする。
【発明の効果】
【００１８】
以上のように、本発明によれば、ガイドレールと電線受け部との間の割込板上の隅部に設けられる拡幅具には、ガイドレールよりも急勾配の方向に延びる段差が形成されているので、スリットを拡張されながら拡幅具上を摺接する防護管は、段差に沿って架空電線側
へ誘導される。これにより、段差を足場にして防護管を架空電線側へ押し込むことができるので、先端が架空電線へ突き当たる際の突き返しに対して防護管の浮き上がりを防止することが可能となる。
【００１９】
また、本発明によれば、上記効果に加えて、電線挟持部には、割込板が一体に設けられた固定挟持片とは架空電線を介して反対側の可動挟持片側に支持ハンドルが設けられているので、架空電線から離れた位置を通過する防護管の重みによって揺れる防護管挿入器を安定させることができる。また、支持ハンドルは、設置される架空電線の延びる方向であるガイドレールの一端側へ向けて延設されており、架空電線に対して略平行な関係を維持することができるので、持ち替えたり大きく姿勢を変えることなく何れの角度においても安定して掴むことが可能となる。
【００２０】
また、本発明によれば、上記効果に加えて、拡幅具上の段差により形成されているエッジは、ガイドレールの一端側、すなわち、防護管の挿入側の方が、割込板に対して緩やかな角度で形成されている。これにより、拡張された防護管は段差に引っ掛かることなくスムーズに拡幅具から離れ、架空電線側に移ることができる。
【図面の簡単な説明】
【００２１】
【図１】本実施の形態に係る防護管挿入器を正面側から見た全体斜視図である。
【図２】図１の防護管挿入器の一部（後述する拡幅具）を分解した状態を示した全体斜視図である。
【図３】拡幅具の一方を示したものであり、（ａ）は正面図、（ｂ）は平面図、（ｃ）は底面図、（ｄ）は拡大した右側面図である。
【図４】防護管挿入器の使用状態であって、（ａ）は割込板上に防護管の先端が位置している状態、（ｂ）は拡幅具上に防護管の先端が位置している状態を示した図である。
【図５】拡幅具を通過する防護管の状態を比較するものであり、（ａ）は防護管の先端が通過する状態、（ｂ）は防護管の中間部が通過する状態を示した図である。
【図６】従来の防護管を示した斜視図である。
【図７】従来の管挿入器を示した正面図である。
【発明を実施するための形態】
【００２２】
以下、本発明の防護管挿入器について図を用いて説明する。
【００２３】
図１は、本実施の形態に係る防護管挿入器１を正面側から見た全体斜視図である。また、図２は、図１の防護管挿入器１の一部（後述する拡幅具８）を分解した状態を示した全体斜視図である。ここでは、防護管を挿入する向きを挿入側として説明を行う。また、説明の中に出てくる防護管については、適宜図６の防護管１０１を参照することとし、図６に示したような、スリット１０７にヒレ部１０９が形成された構成を例として説明を行う。
【００２４】
防護管挿入器１は、二方向から架空電線１００を挟持する電線挟持部１０を有している。この電線挟持部１０は、上方に固定挟持片としての電線受け金具２を有し、下方側には電線受け金具２と対向して可動挟持片１４を有している。電線受け金具２は、架空電線１００の外面に沿って充てがうことができるように、下方に溝が形成されている。
【００２５】
電線受け金具２には略三角形の板状の割込板４が立設されている。割込板４は、防護管１０１のスリット１０７内に割り込んで捻れを修正するために設けられている（図６参照）。
【００２６】
この割込板４の上端の縁４ｂにそってガイドレール６が設けられている。ガイドレール
６は、割込板４の上端の縁４ｂと共に防護管１０１内に入り、防護管１０１を内側からガイドするために設けられている。本実施の形態に係る構成では、ガイドレール６には、摩擦係数の小さい樹脂材が用いられている。
【００２７】
ガイドレール６の一端が電線受け金具２との間に形成する鋭角の隅部４ａには、拡幅具８が設けられている。この拡幅具８は、図１には表れていないが、割込板４の両面に設けられている。この拡幅具８は割込板４に対して脱着可能に取り付けられている。割込板４から取り外した状態は、図２の分解図に示されている。２本のネジによって容易に取り外すことができる。
【００２８】
図１に見て取れるように、上述の電線受け金具２は、拡幅具８の近傍で幅を増大するように形成されている。このように形成されているので、防護管１０１がガイドレール６上を滑って架空電線１００側へ乗り移る際、架空電線１００の外被が防護管１０１によって傷つくことを防止できる。
【００２９】
拡幅具８の幅は、架空電線１００に対してスムーズに防護管１０１が移れるような寸法に規定されている。ここでは、ガイドレール６の幅よりも大きく、且つ、電線受け金具２の幅よりも僅かに小さい寸法に設定されている。また、拡幅具８の側面にはガイドレール６と同じ方向に傾斜した段差８ｅ（図３を用いて後述する）が形成されている。
【００３０】
次に、拡幅具８の形状について詳しく説明する。
【００３１】
図３は、２つのパーツのうち一方の拡幅具８を示したものであり、（ａ）は正面図、（ｂ）は平面図、（ｃ）は底面図、（ｄ）は右側面図である。なお、（ｄ）の右側面図については、説明の便宜のため、拡大して表している。また、上の説明で触れた段差８ｅによって表れる面には斜線を施すことによって位置関係を明確に示している。防護管１０１の挿入側は、紙面の左側である。
【００３２】
先ず図３（ａ）の正面図を参照すると、拡幅具８には４つの面が表れている。これらの面のうち、紙面の最も右側に位置する面は、架空電線１００へ挿入するためにガイドレール６（図１参照）上を送られて来る防護管１０１が最初に乗り上げる掬い上げ部８ａが形成する面である。この掬い上げ部８ａによって、先頭で送られてくる防護管１０１の開口側のスリット１０７が掬い上げられるように広げられる。
【００３３】
この掬い上げ部８ａに対して挿入側に繋がる面は、第１徐変部８ｂによって形成される面である。第１徐変部８ｂは、割込板４（図１参照）を基準として見ると、掬い上げ部８ａよりも緩やかな傾斜で形成されている。掬い上げ部８ａにより拡張の切っ掛けが得られたスリット１０７は、防護管１０１が挿入側へ移動するに連れて、第１徐変部８ｂに乗り上げて緩やかに拡張される。
【００３４】
第１徐変部８ｂの上方に表れている面は、第２徐変部８ｃの側面である。第２徐変部８ｃは、第１徐変部８ｂよりも僅かに傾斜が大きくなるように形成されている。これにより、両者の間には段差８ｅが形成されている。この傾斜角の大きさの違いは、図３（ｂ）に表れている。ここでは、第１徐変部８ｂの傾斜面を点線で表している。このように、傾斜角の大きさの違いにより形成された段差８ｅは、図３（ｃ）の底面図に斜線を施して表されている。同様に、図３（ｄ）においても、段差８ｅを形成している面に斜線が施されている。
【００３５】
最後に、第２徐変部８ｃの左側に表れている面は、拡幅具８による拡張幅を規定する幅規定部８ｄの外面である。拡幅具８の中で、この幅規定部８ｄが最も幅方向へ突出してい
る。本実施の形態に係る構成では、幅規定部８ｄの外面は、割込板４と略平行に形成されている。
【００３６】
ここからは、使用状態における作用について説明する。
【００３７】
図４は、防護管挿入器１の使用状態であって、（ａ）は割込板４上に防護管１０１の先端が位置している状態、（ｂ）は拡幅具８上に防護管１０１の先端が位置している状態を示している。
【００３８】
樹脂材で形成された防護管１０１のスリット１０７は、外力が加わらない状態では閉じているので、拡幅具８に達するまでは、割込面に対して摺接しながら送られて来る。ガイドレール６は、この閉じられたスリット１０７よりも僅かに大きく形成されているので、ラフな操作であっても外れることなく、拡幅具８まで到達できる。
【００３９】
図４（ｂ）に示すように防護管１０１の先端が拡幅具８に達すると、上述のように、先ず、スリット１０７の開口側が掬い上げ部８ａに乗り上げ、第１徐変部８ｂへと移る。ここで、図３（ａ）に戻って、掬い上げ部８ａと第１徐変部８ｂとの間に形成される稜線は、ガイドレール６と同じ側に傾斜し、且つ、ガイドレール６よりも急な勾配で形成されている。これにより、掬い上げ部８ａから第１徐変部８ｂへ移る際に、防護管１０１の開口のスリット１０７は、稜線に沿って架空電線１００側へ誘導される。このように、少なくとも、ガイドレール６から外れないようにして送られてきた防護管１０１は、どのような高さであっても、第１段階として掬い上げ部８ａと第１徐変部８ｂとの間の稜線によって架空電線１００側へ位置修正される。
【００４０】
続いて、第１徐変部８ｂ上を防護管１０１のスリット１０７が通過する際、上述のように、第２徐変部８ｃとの間に段差８ｅが形成されているので、この段差８ｅにスリット１０７の端部が突き当たる。突き当たったスリット１０７は、段差８ｅに形成されているエッジに沿って誘導される。ここで、このエッジについて、第１徐変部８ｂと第２徐変部８ｃとの間のエッジを第１エッジ８ｆとし、幅規定部８ｄと第１徐変部８ｂとの間のエッジを第２エッジ８ｇと呼ぶことにする。
【００４１】
すなわち、掬い上げ部８ａから移って来た防護管１０１は、先ず、第１エッジ８ｆに沿って第１徐変部８ｂ上を移動する。この第１エッジ８ｆは、上述の稜線と同様に、ガイドレール６と同じ方向に傾斜しており、且つ、ガイドレール６よりも急勾配の方向に延びるように形成されている。しかし、稜線に比較すると勾配は小さいので、緩やかに架空電線１００側へ誘導される。
【００４２】
防護管１０１が第１徐変部８ｂ上を摺接する段階で、防護管１０１のヒレ部１０９の一部が電線受け金具２の上側に掛かり始める。掬い上げ部８ａから第１徐変部８ｂへ進んでスリット幅１０７が拡張されつつある段階で、ヒレ部１０９は架空電線１００の外径に沿うのに十分な幅に拡がっている。このようにして、徐々に、架空電線１００側の拡張作用が支配的となるので、防護管１０１は拡幅具８から架空電線１００側へスムーズに乗り移ることが可能である。
【００４３】
本実施の形態に係る構成では、上述のように、第１エッジ８ｆの挿入側には、割込板４を基準とした傾斜が第１エッジ８ｆよりも緩やかな第２エッジ８ｇが繋がっているので、ヒレ部１０９が架空電線１００側に十分に乗った状態では防護管１０１の内壁が引っ掛かることなく第１エッジ８ｆから離れることができる。このように、拡幅具８に形成されたエッジについて、比較的傾斜の大きい第１エッジ８ｆから、挿入側で傾斜の小さい第２エッジ８ｇへ繋ぐように形成することにより、防護管１０１の先端のスリット１０７がスム
ーズに架空電線１００を乗り越えることができるところが本発明の特徴である。
【００４４】
次に、図５を用いて、正面視による動作説明を行う。
【００４５】
図５は、拡幅具８を通過する防護管１０１の状態を比較するものであり、（ａ）は防護管１０１の先端が通過する状態、（ｂ）は防護管１０１の中間部が通過する状態を示している。ここでは、説明の便宜のため、防護管１０１の位置を点線で表すと共に、ヒレ部１０９の位置に斜線を施して表している。
【００４６】
図５（ａ）を参照して、防護管１０１の先端が挿入される際には、先端の開口部１０７の縁が架空電線１００に当接する位置までガイドレール６に沿って防護管１０１が直線的に突き出される。したがって、突き出されて電線受け金具２に当接した防護管１０１は、電線受け金具２からの反力によって架空電線１００から離れる方向へ力を受ける。このように、まだ架空電線１００側へ十分に移行していない段階では、電線受け金具２（又は架空電線１００）からの突き返しによって防護管１０１がガイドレール６から外れやすい状態にあり、従来から課題となっている。しかし、本実施の形態に係る構成では、上述のように、ヒレ部１０９が架空電線１００側へ十分に掛かるまで、言い換えれば、ヒレ部１０９が架空電線１００と交差するまでは、第１エッジ８ｆによる架空電線１００側へ押し付ける作用が効いているので、防護管１０１の脱落を防止できる。
【００４７】
次に、図５（ｂ）を参照して、防護管１０１の先端が架空電線１００を取り込み、防護管１０１の中間位置が拡幅具８近傍を通過する段階においては、僅かに撓りを生じてガイドレール６に追従しながらも、ガイドレール６と電線受け金具２との交差位置では浮き上がりが生じている。しかし、この段階では、既に挿入側で防護管１０１が架空電線１００を咥え込んでいるため、防護管１０１が脱落することはない。
【００４８】
ここで、ヒレ部１０９と第２エッジ８ｇの間の位置関係について、図５（ａ）、（ｂ）の状態を比較する。図５（ａ）では、ヒレ部１０９の上端側、すなわち、スリット１０７の位置は、第１エッジ８ｆから離れ、第２エッジ８ｇ上に移りつつある。すなわち、防護管１０１の先端が電線受け金具２からの突き上げを受けつつある段階（最も抵抗が大きくなる段階）であり、浮き上がりを抑えるために十分な力を得ている段階でもある。
【００４９】
これに対して、図５（ｂ）では、僅かに防護管１０１が浮き上がるものの、既に架空電線１００側へ移っている部分において、開かれたスリット１０７が復元力により閉じようとする力が加わっている。すなわち、この復元力により浮き上がりが抑えられているので、この段階においては、拡幅具８と防護管１０１との摩擦が問題となる。しかし、上述のように、ヒレ部１０９が重なっている第２エッジ８ｇとの間には、第１エッジ８ｆに対する摩擦のような引っ掛かりは殆ど生じない。したがって、一旦防護管１０１に架空電線１００が取り込まれると、第１エッジ８ｆとの間の摩擦が急激に低減されるので、殆ど抵抗なく防護管１０１を繰り出すことが可能となる。
【００５０】
以上述べてきたように、本実施の形態に係る防護管挿入器１によれば、防護管１０１の損傷を防止するとともに、架空電線１００への突き当てによる浮き上がりを防止し、更に、引っ掛かりも効果的に抑えてスムーズに防護管１０１を送り込むことが可能となる。
【００５１】
このように、ガイドレール６を架空電線１００の上方に配置してスムーズに防護管１０１を挿入できるので、従来のガイドレール６を下方に配置していた構成の多くで採用されていたように、ガイドレール６に対向してガイドローラー等を配置する必要がなく、全体を簡易且つ軽量に構成することができる。
【００５２】
また、本実施の形態の防護管挿入器１を、ガイドレール６が架空電線１００の下方に位置するように全体を反転させて使用する場合であっても、第１エッジ８ｆ及び第２エッジ８ｇ（主に第１エッジ８ｆ）によって上方の架空電線１００側へ向けて防護管１０１を持ち上げるように力が作用するので、防護管１０１を脱落させることなく安全に作業を行うことが可能である。
【００５３】
ところで、ガイドレール６が架空電線１００の上方に配置された状態で作業を行う場合、防護管１０１の重量がガイドレール６上に加わることになる。
【００５４】
これに対して防護管挿入器１は、電線挟持部１０によって架空電線１００に固定されているので、架空電線１００から大きく離れているガイドレール６の片側（上記隅部４ａ側の一端とは逆の他端側）は不安定になりやすい。
【００５５】
しかし、本実施の形態に係る構成では、電線挟持部１０の可動挟持片１４側に支持ハンドル１６が設けられているので（図１参照）、ガイドレール６側の防護管１０１の振れを効果的に抑えることが可能である。
【００５６】
また、支持ハンドル１６の延びる方向を架空電線１００の延びる方向に沿う方向に配置しているので、架空電線１００を中心として防護管挿入器１が回転しようとする動きを抑える場合、架空電線１００に対する平行姿勢が保たれる。これにより、支持ハンドル１６を掴む手首が不自然に拗じられることを防止できる。
【００５７】
なお、以上述べてきた構成は、本発明の一実施例であり、以下のような変形も含まれる。
【００５８】
上記の実施の形態では、拡幅具８の側面に形成されたエッジは、割込板４に対する勾配が比較的急な第１エッジ８ｆの挿入側に、これより緩やかな勾配の第２エッジ８ｇが連設されている構成を例として示した。しかし、このエッジは直線的に形成されていても構わない。
【００５９】
また、上記の実施の形態では、拡幅具８の第１徐変部８ｂに連設して掬い上げ部８ａが形成されている構成を例として示した。しかし、割込板４から第１徐変部８ｂへ直接繋がる構成であっても構わない。なお、掬い上げ部８ａが形成されることにより、第１徐変部８ｂの傾斜を緩やかに設けることが可能となる。
【００６０】
また、上記の実施の形態では、支持ハンドル１６は、架空電線１００と略平行な方向に延びるように配置されている構成を例として示した。しかし、ガイドレール６の一端側である挿入側へ向けて延設されている構成であれば、支持ハンドル１６は架空電線１００に対して完全に平行でなくても構わない。
【００６１】
また、上記の実施の形態では、電線受け金具２は、電線挟持部１０において可動挟持片１４に対向して設けられる固定挟持片として構成されている例を示した。しかし、架空電線１００を保護するために設けられる電線受け金具２と架空電線１００を固定する固定挟持片とは別体で設ける構成でも構わない。
【産業上の利用可能性】
【００６２】
本発明の防護管挿入器１は、架空電線１００に対してスムーズに防護管１０１を摺動させることができるので、防護管１０１を挿入する用途だけでなく、防護管１０１を抜き取る作業にも有用である。
【符号の説明】
【００６３】
１      防護管挿入器
２      電線受け金具（電線受け部、固定挟持片）
４      割込板
４ａ      隅部
４ｂ      縁
６      ガイドレール
８      拡幅具
８ａ      掬い上げ部
８ｂ      第１徐変部
８ｃ      第２徐変部
８ｄ      幅規定部
８ｅ      段差
８ｆ      第１エッジ
８ｇ      第２エッジ
１０      電線挟持部
１４      可動挟持片
１６      支持ハンドル
１００      架空電線
１０１      防護管
１０２      本体部
１０３      雌型嵌合部
１０４      雄型嵌合部
１０６      収容部
１０７      開口部（スリット）
１０９      ヒレ部
１１０      管挿入器
１１１      アングル
１１２      ガイド本体
１１３      案内棒
１１５      拡管用板
１１６      駆動タイヤ
１２７      コロ
【図１】
2019205232.tif 000003
【図２】
2019205232.tif 000004
【図３】
2019205232.tif 000005
【図４】
2019205232.tif 000006
【図５】
2019205232.tif 000007
【図６】
2019205232.tif 000008
【図７】
2019205232.tif 000009